(57)【要約】【課題】物品からの取り外しが容易な掛止具を提供する。【解決手段】物品が掛止される掛止部１１を表側１２ａに有し、適宜の物体に貼着すべき粘着部１３を裏側１２ｂに有する掛止具１は、粘着部１３を一面に有し、且つ、摘まみ部２１が延設されている可撓粘着板２と、掛止部１１を表側に有し、裏側１２ｂに、可撓粘着板２が挿脱可能に挿嵌されて係止される挿嵌溝３１を有する掛止具本体３とで構成される。掛止具１を壁Ｗから取り外す場合、まず、使用者は、粘着部１３によって壁Ｗに貼着固定されている可撓粘着板２を残したまま、可撓粘着板２から掛止具本体３を上方へ引き抜く。次に、使用者は、可撓粘着板２の摘まみ部２１を摘まんで引っ張り、壁Ｗから可撓粘着板２を撓ませつつ剥離させる。このため、粘着部１３に無理な外力が加わることなく、粘着部１３の粘着性を維持して可撓粘着板２を取り外すことができる。【選択図】図６
2008048914.tif 000002
【特許請求の範囲】
【請求項１】
物品が掛止される掛止部を一側に有し、適宜の物体に貼着すべき粘着部を他側に有する掛止具において、
前記粘着部を一面に有し、該粘着部の一縁から摘まみ部が延設されている可撓粘着板と、
前記掛止部を一側に有し、前記可撓粘着板が挿脱可能に挿嵌されて係止される挿嵌溝を他側に有する掛止具本体と
を備えることを特徴とする掛止具。
【請求項２】
前記可撓粘着板は、
他面に、略平行に並置され、その両端部が前記挿嵌溝の内部で係止される複数の凸条部を有し、
前記凸条部の間に可撓部が配され、
前記凸条部の並置方向に前記摘まみ部が配されていることを特徴とする請求項１に記載の掛止具。
【発明の詳細な説明】
【技術分野】
【０００１】
本発明は、物体に貼着固定して物品を掛止するための掛止具に関する。
【背景技術】
【０００２】
従来から、事務用品、家庭用品等として、Ｊ字状のフックを有する粘着フックが多用されており、使用者は、室内の壁、棚、机等、適宜の物体に粘着フックを貼着固定して、物品を掛止する（非特許文献１参照）。
【０００３】
粘着フックのような掛止具は、物品が掛止される掛止部（例えばフック）を表側に有し、壁、棚、机等に貼着すべき粘着部を裏側に有する。
粘着部は、一般に両面テープを用いてなる。
物体に貼着固定されている掛止具は、例えば使用者が、物体の被貼着面と略直交する方向へ掛止具を引っ張ることによって、両面テープが剥離し、取り外される。
【非特許文献１】“文具をさがす（キーワード）｜商品をさがす｜コクヨ”、［online］、［平成１８年７月２６日検索］、インターネット＜ＵＲＬ：http://www.kokuyo.co.jp/find/catalog/1 detail.php?seihin sikibetu=1&c1=1211&c2=18&c3=14&sid=8510＞
【発明の開示】
【発明が解決しようとする課題】
【０００４】
例えば両面テープを用いてなる粘着部は、変形し易く、また、破損し易い。一方、壁、棚のような物体と、粘着部を除く掛止具の本体とは夫々変形し難く、また、破損し難い。
【０００５】
このため、従来の掛止具を物体から取り外す場合、粘着部と物体との間のみで剥離が生じず、掛止具の本体と粘着部との間でも剥離が生じ易い。因って、粘着部が物体から完全に剥離せず、粘着部の一部が物体に貼着されている状態で破損し、粘着部の一部が物体に残留するという問題がある。
また、粘着部が破損することなく掛止具を取り外すことができた場合においても、粘着部には物体の被貼着面と略直交する方向へ引張力が加わり、粘着部の粘着力が低下するため、この粘着部を再び物体に貼着固定して掛止具を使用することができないという問題がある。
【０００６】
本発明は斯かる問題を解決するためになされたものであり、その主たる目的は、一面に粘着部を有する可撓粘着板を掛止具本体の挿嵌溝に挿嵌する構成とすることにより、掛止具本体を取り外した後、摘まみ部を摘まんで引っ張って可撓粘着板を撓ませつつ容易に取り外すことができる掛止具を提供することにある。
【０００７】
本発明の他の目的は、可撓粘着板に、複数の凸条部が並設されていることにより、可撓粘着板の可撓性と強度とを両立することができる掛止具を提供することにある。
【課題を解決するための手段】
【０００８】
第１発明に係る掛止具は、物品が掛止される掛止部を一側に有し、適宜の物体に貼着すべき粘着部を他側に有する掛止具において、前記粘着部を一面に有し、該粘着部の一縁から摘まみ部が延設されている可撓粘着板と、前記掛止部を一側に有し、前記可撓粘着板が挿脱可能に挿嵌されて係止される挿嵌溝を他側に有する掛止具本体とを備えることを特徴とする。
【０００９】
第２発明に係る掛止具は、前記可撓粘着板は、他面に、略平行に並置され、その両端部が前記挿嵌溝の内部で係止される複数の凸条部を有し、前記凸条部の間に可撓部が配され、前記凸条部の並置方向に前記摘まみ部が配されていることを特徴とする。
【００１０】
第１発明にあっては、掛止具本体の挿嵌溝に、可撓粘着板が、粘着部を有する一面を外側に向けて挿嵌されて係止されることによって、掛止具が構成される。また、可撓粘着板は挿脱可能であるため、挿嵌溝から可撓粘着板を抜き取ることによって、掛止具が２種類の部材に分かれる。
掛止具本体には粘着部が設けられていないため、物体に直接的に貼着固定されるのは可撓粘着板のみであり、可撓粘着板と掛止具本体との係止によって、掛止具本体は物体に、間接的に貼着固定される。
更に、可撓粘着板は外力を加えられた場合に容易に撓み、加えられた外力が失われた場合に、弾性復元力によって、元の形状に復元する。
【００１１】
掛止具を、室内の壁、棚、机等、被貼着対象である物体に取り付ける場合、使用者は、掛止具本体の挿嵌溝に可撓粘着板が挿嵌され係止された状態で、可撓粘着板の粘着部の粘着性を利用して、掛止具を物体に貼着固定する。なお、使用者は、掛止具本体が取り外された状態で物体に貼着固定した可撓粘着板に、掛止具本体を係止させてもよい。
【００１２】
掛止具を物体から取り外す場合、まず、使用者は、物体に貼着固定されている可撓粘着板を残したまま、可撓粘着板から掛止具本体を取り外す。可撓粘着板は、挿脱可能に挿嵌溝に挿嵌及び係止されるため、可撓粘着板からの掛止具本体の取り外しは容易である。
【００１３】
次に、使用者は、可撓粘着板の摘まみ部を摘まみ、この摘まみ部に手動で外力を加えることによって可撓粘着板を摘まみ部側から剥離させつつ撓ませて全体を剥離させる。このため、粘着部の粘着性を維持して取り外すことが可能となり、しかも粘着部が物体に残留することが抑制される。
【００１４】
第２発明にあっては、可撓粘着板の他面、即ち粘着部が設けられていない側の面に、互いに略平行に並置された複数の凸条部が形成されている。
この凸条部は、可撓粘着板の強度を補強する補強部として機能し、可撓粘着板が凸条部の長手方向に変形することを抑制する。
また、隣り合う２本の凸条部の間に可撓部が配されるため、可撓粘着板は、凸条部の並置方向に容易に撓む。
このような凸条部は、凸条部の両端部が挿嵌溝の内部で係止される係止部としても機能するため、可撓粘着板の補強と挿嵌溝に対する係止とに兼用される。
【００１５】
さて、可撓粘着板の摘まみ部は、粘着部の凸条部並置方向の一縁から延設されているため、使用者が摘まみ部を摘まんで引っ張ることによって、可撓粘着板を撓ませ易い。
【発明の効果】
【００１６】
第１発明の掛止具による場合、掛止部を有する掛止具本体を取り外すことができ、粘着部を有する可撓粘着板は、摘まみ部を引っ張って摘まみ部側から剥離させつつ撓ませて全体を剥離させることができるため、粘着部の粘着性を維持して可撓粘着板を取り外すことができると共に、掛止具が貼着固定されている物体から掛止具を取り外す際に、粘着部を除く可撓粘着板の本体と粘着部との間での剥離は生じ難く、粘着部と物体との間での剥離は生じ易い。このため、粘着部の破損を抑制しつつ物体から可撓粘着板を容易に剥離させることができる。
【００１７】
この結果、破損した粘着部の一部が物体に残留すること、及び、残留した粘着部が物体を汚損することが抑制される。
また、粘着部の破損によって粘着力が低下することが抑制される。即ち、この粘着部を再利用して掛止具を再使用することができる。
更に、粘着部が物体から容易に剥離するため、物体に無理な外力が加わることが抑制される。
【００１８】
第２発明の掛止具による場合、複数の凸条部を適切に設けることによって、可撓粘着板の可撓性と強度とを両立させることができる。しかも、凸条部が可撓粘着板の補強と挿嵌溝に対する係止とに兼用されるため、可撓粘着板をコンパクトに形成することができる。
【発明を実施するための最良の形態】
【００１９】
以下、本発明を、その実施の形態を示す図面に基づいて詳述する。
【００２０】
図１は、本発明に係る掛止具１の構成を示す側面図であり、図２は、掛止具１の構成を示す裏側１２ｂからの斜視図である。
また、図３は、掛止具本体３の構成を示す下方からの斜視図である。
更に、図４は、可撓粘着板２の構成を示す凸条部２３，２３，…形成側からの斜視図であり、図５は、可撓粘着板２の構成を示す側面図である。
【００２１】
図１及び図２に示すように、掛止具１は、図示しない物品が掛止される掛止部１１を表側１２ａに有し、適宜の物体（具体的には略鉛直な壁Ｗの鉛直面）に貼着すべき粘着部１３を裏側１２ｂに有する。
更に詳細には、掛止具１は、粘着部１３を一面２０ａに有し、粘着部１３の一縁から摘まみ部２１が延設されている可撓粘着板２と、掛止部１１を表側１２ａに有し、可撓粘着板２が挿脱可能に挿嵌されて係止される挿嵌溝３１を裏側１２ｂに有する掛止具本体３との２種類の部材で構成されている。
【００２２】
粘着部１３は両面テープを用いてなり、粘着部１３を除く可撓粘着板２の本体及び掛止具本体３は、合成樹脂を用いて夫々成型してなる。
掛止部１１を除く掛止具本体３は全体として円形平板状であるが、円形平板状に限定されず、例えば矩形平板状でもよい。
【００２３】
図２、図４及び図５に示すように、可撓粘着板２は、可撓性を有する矩形状の薄板部２０と、薄板部２０の長手方向一側端部に配されており、使用者が摘まむための半楕円形状の薄板部である摘まみ部２１とが一体に形成されている。薄板部２０及び摘まみ部２１の厚みは、外力を加えられた場合に薄板部２０及び摘まみ部２１が容易に撓み、しかも破損することなく、更に、加えられた外力が失われた場合に、弾性復元力によって元の形状に復元する厚みである。
【００２４】
薄板部２０の一面２０ａと摘まみ部２１の一面とは同一平面上にある。また、この薄板部２０の一面２０ａに、粘着部１３となるべき両面テープの一面が貼着されて粘着部１３となる。一方、摘まみ部２１には両面テープが粘着されず、このため、摘まみ部２１の一面は、外部に貼着されない非粘着部となる。
つまり、可撓粘着板２は、粘着部１３を一面２０ａに有し、粘着部１３の一縁から摘まみ部２１が延設されている。
また、粘着部１３の粘着力は、両面テープの他面の粘着力を利用している。
【００２５】
図４及び図５に示すように、可撓粘着板２の薄板部２０の他面２０ｂには、互いに略平行に、薄板部２０の長手方向に並置された複数の凸条部２３，２３，…が形成されており、摘まみ部２１は、凸条部２３，２３，…の並置方向一側端部に配されている（凸条部２３，２３，…の並置方向の粘着部１３の一縁から延設されている）。
複数の凸条部２３，２３，…の間には、可撓部２２，２２，…が配される。更に詳細には、隣り合う凸条部２３，２３の間には凹条部が形成され、各凹条部の底部に相当する部分の薄板部２０が可撓部２２，２２，…となる。
【００２６】
各凸条部２３は、側面視が台形状であり、台形の長辺側が薄板部２０の他面２０ｂに向けられているような形状である。
更に詳細には、各凸条部２３は、薄板部２０の短手方向中央部に配された台形条部２３ａと、この台形条部２３ａに一体に設けられ、長手方向両端部が台形条部２３ａの端面よりも突出してる台形条部２３ｂとで構成されている。
ただし、台形条部２３ｂの長手方向の長さは、薄板部２０の短手方向の長さ以下の長さである。
【００２７】
台形条部２３ｂの突出によって、可撓粘着板２の短手方向両端部には、他面２０ｂ、台形条部２３ａの端面、及び台形条部２３ｂの長辺側の面とに囲まれてなる係止溝２４，２４が形成される。係止溝２４，２４は、後述するように、可撓粘着板２の挿嵌溝３１に対する挿脱可能な挿嵌のために利用され、凸条部２３，２３，…の台形条部２３ｂ，２３ｂ，…の両端部が、挿嵌溝３１の内部で係止される。
【００２８】
以上のような可撓粘着板２は、可撓粘着板２を撓ませようとする外力が可撓粘着板２の長手方向（凸条部２３，２３，…並置方向）に加えられた場合、前述の凹条部が狭まり、可撓部２２，２２，…が撓む。このことによって、可撓粘着板２は容易に撓んで湾曲し、しかも、加えられた外力が失われた場合に、弾性復元力によって、容易に元の形状に復元する。
一方、可撓粘着板２を撓ませようとする外力が可撓粘着板２の短手方向（凸条部２３，２３，…長手方向）に加えられた場合、可撓粘着板２は容易には撓まない。
【００２９】
仮に、可撓粘着板２に凸条部２３，２３，…が存在せず、薄板部２０及び摘まみ部２１のみで可撓粘着板２が構成されている場合、可撓粘着板２は長手方向及び短手方向の夫々に対して更に容易に撓むが、可撓粘着板２自体の強度が弱く、また、係止溝２４，２４を設けることができない。
更に仮に、可撓粘着板２に凸条部２３，２３，…を設けず、可撓粘着板２の厚みを薄板部２０よりも厚くした場合、例えば可撓粘着板２の側端面を切り欠いて係止溝２４，２４に相当する溝を形成することが可能となる。しかしながら、可撓粘着板２が容易には撓まなくなる。
【００３０】
さて、図２及び図３に示すように、掛止具本体３は、掛止部１１を表側１２ａに有し、裏側１２ｂに、可撓粘着板２が挿脱可能に挿嵌されて係止される挿嵌溝３１を有する。
【００３１】
挿嵌溝３１は、可撓粘着板２の薄板部２０に対応する深溝３１１と、摘まみ部２１に対応する浅溝３１２とが一体に形成されてなる。ここで、浅溝３１２は掛止具１の裏側１２ｂの上部に配され、深溝３１１は掛止具１の中央部から下部にわたって配される。ここで、掛止具１の上下方向は、掛止部１１の上下方向に等しい。
浅溝３１２の深さ（掛止具１の前後方向の長さ）は、摘まみ部２１の厚みと略等しい。
【００３２】
深溝３１１の長手方向の長さは、可撓粘着板２の薄板部２０の長手方向の長さよりも長い。また、深溝３１１は、長手方向下端が開口であり、短手方向両側面に、断面矩形状の係止条部３２，３２が、深溝３１１の長手方向に沿って突設されている。
係止条部３２の幅（掛止具１の前後方向の長さ）は、係止溝２４の幅（薄板部２０の厚み方向の長さ）と略同じか、僅かに短い。また、係止条部３２の突出高さは、係止溝２４の深さ（薄板部２０の短手方向の長さ）と略同じか、僅かに短い。更に、深溝３１１の係止条部３２までの深さは、薄板部２０の厚みと略等しく、係止条部３２と深溝３１１底面との離隔距離は、台形条部２３ｂの高さ（薄板部２０の厚み方向の長さ）と略同じか、僅かに長い。
【００３３】
このため、係止条部３２は係止溝２４，２４へ挿脱可能に挿嵌され、凸条部２３，２３，…の台形条部２３ｂ，２３ｂ，…の両端部が、係止条部３２と深溝３１１底面との間に係止される。
このことによって、可撓粘着板２が挿嵌溝３１挿脱可能に挿嵌されて係止され、凸条部２３，２３，…の両端部が挿嵌溝３１の内部で係止される。
【００３４】
掛止具本体３の挿嵌溝３１に可撓粘着板２が挿嵌及び係止された場合、掛止具本体３の裏側１２ｂの平面と可撓粘着板２の摘まみ部２１の一面及び薄板部２０の一面２０ａとが略同一平面上に配され、この平面から突出するように、粘着部１３が配される。
【００３５】
さて、図１〜図３に示すように、掛止部１１はＪ字状のフックであり、フックの基端部側が掛止具本体３の表側１２ａの平面に連結されている。
本実施の形態における掛止部１１の掛止具本体３に対する連結は、完全な固定であるが、これに限らず、例えば掛止部１１が基端部を中心に回動可能に連結されていてもよく、掛止部１１の基端部が掛止具本体３に対して摺動可能に連結されていてもよい。また、掛止部１１はＪ字状に限らず、例えば環状でもよい。更に、掛止部１１の基端部が掛止具本体３の表側１２ａの周端面に連結されていてもよい。
【００３６】
次に、掛止具１の壁Ｗへの取り付け手順について説明する。
使用者は、可撓粘着板２を摘まみ部２１側から挿嵌溝３１の深溝３１１の下端開口へ挿入し、係止条部３２，３２を係止溝２４，２４へ長手方向に挿嵌させる。このとき、係止条部３２，３２が係止溝２４，２４に対して摺動する。そして、凸条部２３，２３，…の両端部が、係止条部３２と深溝３１１底面との間に係止される。
【００３７】
ここで、可撓粘着板２と掛止具本体３とは互いの摩擦力によって係止されるため、この摩擦力よりも大きい外力を加えることによって、可撓粘着板２は挿嵌溝３１から容易に離脱する。
【００３８】
更に、使用者は、粘着部１３を壁Ｗに貼着固定することによって、掛止具１を壁Ｗに取り付ける（図１参照）。
このように掛止具１を壁Ｗに取り付けた場合、掛止具本体３は可撓粘着板２に上側から覆い被さることになるため、壁Ｗに貼着固定されている可撓粘着板２が掛止具本体３を支持（掛止具本体３の荷重を支持）して、掛止具本体３が可撓粘着板２から脱離して落下することが抑制される。
【００３９】
仮に、使用者が、掛止部１１が上下逆転した状態（浅溝３１２が下側、深溝３１２が上側に配された状態）で掛止具１を壁Ｗに取り付けた場合、掛止具本体３は可撓粘着板２に係止することができず、例えば掛止部１１に物品が係止されることによって脱離する。
【００４０】
図６及び図７は、掛止具１を壁Ｗから取り外す手順を示す説明する側面図である。
まず、使用者は、図６に示すように、貼着固定されている可撓粘着板２を壁Ｗに残したまま、掛止具本体３を上方向（図６中白抜矢符方向）へ引き抜くことによって、可撓粘着板２から掛止具本体３を取り外す。可撓粘着板２は、挿脱可能に挿嵌溝３１に挿嵌及び係止されるため、掛止具本体３は可撓粘着板２から容易に取り外される。
【００４１】
次に、使用者は、摘まみ部２１を指で摘まんで、壁Ｗから離隔する方向（図７中白抜矢符方向）へ可撓粘着板２に手動で外力を加えて引っ張り、可撓粘着板２を撓ませつつ壁Ｗから可撓粘着板２を剥離させる。この場合、粘着部１３に対して加わる無理な外力（特に、壁Ｗの被貼着面と略直交する方向の引張力）が抑制されるため、使用者は、粘着部１３の粘着性を維持して可撓粘着板２を取り外すことが可能となる。
ここで、可撓粘着板２の摘まみ部２１は、可撓粘着板２の凸条部２３，２３，…並置方向の上端部に配されているため、可撓粘着板２を撓ませ易い。
【００４２】
更に、この場合、図７に示すように、粘着部１３を含む可撓粘着板２は、加えられた外力に応じて同時的に撓み、粘着部１３と、粘着部１３以外の可撓粘着板２本体との間での剥離が生じることなく、粘着部１３と壁Ｗとの間で容易に剥離が生じる。このため、粘着部１３の破損が抑制される。この結果、破損した粘着部１３の一部が壁Ｗに残留すること、及び、残留した粘着部１３が壁Ｗを汚損することが抑制される。
【００４３】
以上のような掛止具１は、掛止具本体３が可撓粘着板２から容易に取り外され、更に、可撓粘着板２が壁Ｗから容易に取り外される。また、粘着部１３の破損によって粘着力が低下することが抑制されるため、この粘着部１３を再利用して掛止具１を再使用することが可能となる。しかも、粘着部１３を壁Ｗから剥がす際に、壁Ｗに無理な外力が加わることが抑制されるため、粘着部１３を剥がすことによって壁Ｗの表面が荒れることが抑制される。
【００４４】
また、可撓粘着板２を手に持つ使用者は、摘まみ部２１を摘まめばよいため、使用者の指が粘着部１３に接触することが抑制され、指の接触による粘着部１３の粘着性の低下が抑制される。
【００４５】
なお、掛止具１は、壁Ｗの鉛直面に限らず、机の側面、吊棚の下面等に貼着固定される構成でもよい。
また、挿嵌溝３１の長手方向が、掛止具１の上下方向ではなく左右方向に沿って設けられる構成でもよい。
更に、挿嵌溝３１に対する可撓粘着板２の挿脱可能な挿嵌及び係止のための構成は、挿嵌溝３１の係止条部３２，３２を可撓粘着板２の係止溝２４，２４へ挿入する構成に限るものではない。
更にまた、粘着部１３は一面２０ａに貼着された両面テープに限定されず、例えば粘着性を有する層を一面２０ａに形成することによって設けてもよい。
【図面の簡単な説明】
【００４６】
【図１】本発明に係る掛止具の構成を示す側面図である。
【図２】本発明に係る掛止具の構成を示す裏側からの斜視図である。
【図３】本発明に係る掛止具が備える掛止具本体の構成を示す下方からの斜視図である。
【図４】本発明に係る掛止具が備える可撓粘着板の構成を示す凸条部形成側からの斜視図である。
【図５】本発明に係る掛止具が備える可撓粘着板の構成を示す側面図である。
【図６】本発明に係る掛止具を壁から取り外す手順を示す説明する側面図である。
【図７】本発明に係る掛止具を壁から取り外す手順を示す説明する側面図である。
【符号の説明】
【００４７】
１    掛止具
１１  掛止部
１２ａ  表側（一側）
１２ｂ  裏側（他側）
１３  粘着部
２    可撓粘着板
２０ａ  一面
２０ｂ  他面
２１  摘まみ部
２２  可撓部
２３  凸条部
３    掛止具本体
３１  挿嵌溝
Ｗ    壁（物体）
【図１】
2008048914.tif 000003
【図２】
2008048914.tif 000004
【図３】
2008048914.tif 000005
【図４】
2008048914.tif 000006
【図５】
2008048914.tif 000007
【図６】
2008048914.tif 000008
【図７】
2008048914.tif 000009